【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
少なくとも無認可スペクトルにわたって直交周波数分割多元接続（ＯＦＤＭＡ）通信信号を送信するように構成される基地局において、送信のために１つまたは複数の同期信号あるいはシステムブロードキャスト信号のうちの少なくとも１つを生成することと、
前記基地局が、前記１つまたは複数の同期信号あるいは前記システムブロードキャスト信号のうちの前記少なくとも１つの送信のために非クリアチャネルアセスメント（非ＣＣＡ）サブフレームを決定することと、
前記基地局が、前記非ＣＣＡサブフレーム中で前記１つまたは複数の同期信号あるいは前記システムブロードキャスト信号のうちの前記少なくとも１つを送信することと
を備え、前記１つまたは複数の同期信号あるいは１つまたは複数のシステムブロードキャスト信号のうちの前記少なくとも１つがその中で送信される前記非ＣＣＡサブフレームは、異なるキャリアにわたって互い違いに配列される、
ワイヤレス通信の方法。
【請求項２】
前記非ＣＣＡサブフレーム中での前記送信は、持続時間と周期性とに関連し、前記持続時間と前記周期性との間の比は、５％にすぎない、
請求項１に記載の方法。
【請求項３】
前記基地局が、ＣＣＡサブフレーム中でクリアＣＣＡを検出することと、
前記基地局が、前記クリアＣＣＡを検出することに応答して、前記ＣＣＡサブフレーム中で前記１つまたは複数の同期信号あるいは１つの他のシステムブロードキャスト信号のうちの少なくとも１つの他方を送信することと
をさらに含む、請求項１に記載の方法。
【請求項４】
前記システムブロードキャスト信号は、
前記基地局の少なくとも１つの無認可キャリアのためのフレーム構造のインジケーション、
ネットワーク識別子、
前記基地局に関連する複数の利用可能な帯域幅のうちの１つを識別する帯域幅識別子、
前記無認可スペクトル中のキャリアの数のインジケーション、
基準信号ポートの数、
ランダムアクセスプロシージャに関連する１つまたは複数のパラメータ、
システムフレーム番号、あるいは、
制御チャネルに関係する情報
のうちの少なくとも１つを備え、前記情報は、前記制御チャネルのサイズまたはロケーションのうちの少なくとも１つを備える、
請求項１に記載の方法。
【請求項５】
前記フレーム構造は、ダウンリンク専用フレーム構造、混合ダウンリンク／アップリンクフレーム構造、またはアップリンク専用フレーム構造のうちの少なくとも１つである、
請求項４に記載の方法。
【請求項６】
前記基地局は、少なくとも１つの認可キャリアを含み、前記無認可スペクトル中のキャリアを使用して補助ダウンリンク（ＳＤＬ）またはキャリアアグリゲーション（ＣＡ）動作のうちの１つで構成される少なくとも１つのユーザ機器と通信している、
請求項１に記載の方法。
【請求項７】
前記１つまたは複数の同期信号あるいは前記システムブロードキャスト信号のうちの前記少なくとも１つは、１．４ＭＨｚ超に及ぶ広帯域信号である、
請求項１に記載の方法。
【請求項８】
前記非ＣＣＡサブフレームの前記送信は、オフセットに関連付けられ、前記オフセットがネットワーク識別子の関数である、
請求項１に記載の方法。
【請求項９】
前記非ＣＣＡサブフレーム中に、
セル固有基準信号（ＣＲＳ）、
チャネル状態情報基準信号（ＣＳＩ−ＲＳ）、
拡張物理ブロードキャストチャネル（ＥＰＢＣＨ）のための基準信号、または
チャネルユーザパイロット信号（ＣＵＰＳ）／チャネルユーザビーコン信号（ＣＵＢＳ）
のうちの少なくとも１つをさらに含む、請求項１に記載の方法。
【請求項１０】
無認可帯域サイクリックプリフィックスの持続時間は、認可スペクトルにわたる通信に関連するノーマルサイクリックプリフィックスよりも小さいかまたはそれに等しい、
請求項１に記載の方法。
【請求項１１】
少なくとも無認可スペクトルにわたって直交周波数分割多元接続（ＯＦＤＭＡ）通信信号を受信するように構成されるユーザ機器において、基地局から非クリアチャネルアセスメント（非ＣＣＡ）サブフレーム中で１つまたは複数の同期信号あるいはシステムブロードキャスト信号のうちの少なくとも１つを受信すること、ここにおいて、前記１つまたは複数の同期信号あるいは１つまたは複数のシステムブロードキャスト信号のうちの前記少なくとも１つがその中で受信される前記非ＣＣＡサブフレームは、異なるキャリアにわたって互い違いに配列される、と、
前記ユーザ機器が、１つまたは複数の同期信号あるいはシステムブロードキャスト信号のうちの前記受信された少なくとも１つに基づいて前記基地局と通信することと
を備える、
ワイヤレス通信の方法。
【請求項１２】
前記非ＣＣＡサブフレーム中で前記受信することは、持続時間と周期性とに関連し、前記持続時間と前記周期性との間の比は、５％にすぎない、
請求項１１に記載の方法。
【請求項１３】
前記ユーザ機器が、ＣＣＡサブフレーム中でクリアＣＣＡを検出することと、
前記ユーザ機器が、前記クリアＣＣＡを検出することに応答して、前記ＣＣＡサブフレーム中で前記１つまたは複数の同期信号あるいは１つの他のシステムブロードキャスト信号のうちの少なくとも１つの他方を受信することと
をさらに含む、請求項１１に記載の方法。
【請求項１４】
少なくとも無認可スペクトルにわたって直交周波数分割多元接続（ＯＦＤＭＡ）通信信号を送信するように構成される基地局において、送信のために１つまたは複数の同期信号あるいはシステムブロードキャスト信号のうちの少なくとも１つを生成するための手段と、
前記基地局が、前記１つまたは複数の同期信号あるいは前記システムブロードキャスト信号のうちの前記少なくとも１つの送信のために非クリアチャネルアセスメント（非ＣＣＡ）サブフレームを決定するための手段と、
前記基地局が、前記非ＣＣＡサブフレーム中で前記１つまたは複数の同期信号あるいは前記システムブロードキャスト信号のうちの前記少なくとも１つを送信するための手段と
を備え、前記１つまたは複数の同期信号あるいは１つまたは複数のシステムブロードキャスト信号のうちの前記少なくとも１つがその中で送信される前記非ＣＣＡサブフレームは、異なるキャリアにわたって互い違いに配列される、ワイヤレス通信のために構成される装置。
【請求項１５】
少なくとも無認可スペクトルにわたって直交周波数分割多元接続（ＯＦＤＭＡ）通信信号を受信するように構成されるユーザ機器において、基地局から非クリアチャネルアセスメント（非ＣＣＡ）サブフレーム中で１つまたは複数の同期信号あるいはシステムブロードキャスト信号のうちの少なくとも１つを受信するための手段、ここにおいて、前記１つまたは複数の同期信号あるいは１つまたは複数のシステムブロードキャスト信号のうちの前記少なくとも１つがその中で受信される前記非ＣＣＡサブフレームは、異なるキャリアにわたって互い違いに配列される、と、
前記ユーザ機器が、１つまたは複数の同期信号あるいはシステムブロードキャスト信号のうちの前記受信された少なくとも１つに基づいて前記基地局と通信するための手段と
を備える、
ワイヤレス通信のために構成される装置。
【手続補正２】
【補正対象書類名】明細書
【補正対象項目名】００９０
【補正方法】変更
【補正の内容】
【００９０】
[00108]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
少なくとも無認可スペクトルにわたって直交周波数分割多元接続（ＯＦＤＭＡ）通信信号を送信するように構成される基地局において、送信のために１つまたは複数の同期信号あるいはシステムブロードキャスト信号のうちの少なくとも１つを生成することと、
前記基地局が、前記１つまたは複数の同期信号あるいは前記システムブロードキャスト信号のうちの前記少なくとも１つの送信のために非クリアチャネルアセスメント（非ＣＣＡ）サブフレームを決定することと、
前記基地局が、前記非ＣＣＡサブフレーム中で前記１つまたは複数の同期信号あるいは前記システムブロードキャスト信号のうちの前記少なくとも１つを送信することと
を備える、ワイヤレス通信の方法。
［Ｃ２］
前記非ＣＣＡサブフレーム中での前記送信は、持続時間と周期性とに関連し、前記持続時間と前記周期性との間の比は、５％にすぎない、
［Ｃ１］に記載の方法。
［Ｃ３］
前記基地局が、ＣＣＡサブフレーム中でクリアＣＣＡを検出することと、
前記基地局が、前記クリアＣＣＡを検出することに応答して、前記ＣＣＡサブフレーム中で前記１つまたは複数の同期信号あるいは１つの他のシステムブロードキャスト信号のうちの少なくとも１つの他方を送信することと
をさらに含む、［Ｃ１］に記載の方法。
［Ｃ４］
前記１つまたは複数の同期信号あるいは１つまたは複数のシステムブロードキャスト信号のうちの前記少なくとも１つがその中で送信される前記非ＣＣＡサブフレームは、異なるキャリアにわたって互い違いに配列される、
［Ｃ１］に記載の方法。
［Ｃ５］
前記システムブロードキャスト信号は、
前記基地局の少なくとも１つの無認可キャリアのためのフレーム構造のインジケーション、
ネットワーク識別子、
前記基地局に関連する複数の利用可能な帯域幅のうちの１つを識別する帯域幅識別子、
前記無認可スペクトル中のキャリアの数のインジケーション、
基準信号ポートの数、
ランダムアクセスプロシージャに関連する１つまたは複数のパラメータ、
システムフレーム番号、あるいは、
制御チャネルに関係する情報
のうちの少なくとも１つを備え、前記情報は、前記制御チャネルのサイズまたはロケーションのうちの少なくとも１つを備える、
［Ｃ１］に記載の方法。
［Ｃ６］
前記フレーム構造は、ダウンリンク専用フレーム構造、混合ダウンリンク／アップリンクフレーム構造、またはアップリンク専用フレーム構造のうちの少なくとも１つである、
［Ｃ５］に記載の方法。
［Ｃ７］
前記基地局は、少なくとも１つの認可キャリアを含み、前記無認可スペクトル中のキャリアを使用して補助ダウンリンク（ＳＤＬ）またはキャリアアグリゲーション（ＣＡ）動作のうちの１つで構成される少なくとも１つのユーザ機器と通信している、
［Ｃ１］に記載の方法。
［Ｃ８］
前記１つまたは複数の同期信号あるいは前記システムブロードキャスト信号のうちの前記少なくとも１つは、１．４ＭＨｚ超に及ぶ広帯域信号である、
［Ｃ１］に記載の方法。
［Ｃ９］
前記非ＣＣＡサブフレームの前記送信は、オフセットに関連付けられ、前記オフセットがネットワーク識別子の関数である、
［Ｃ１］に記載の方法。
［Ｃ１０］
前記非ＣＣＡサブフレーム中に、
セル固有基準信号（ＣＲＳ）、
チャネル状態情報基準信号（ＣＳＩ−ＲＳ）、
拡張物理ブロードキャストチャネル（ＥＰＢＣＨ）のための基準信号、または
チャネルユーザパイロット信号（ＣＵＰＳ）／チャネルユーザビーコン信号（ＣＵＢＳ）
のうちの少なくとも１つをさらに含む、［Ｃ１］に記載の方法。
［Ｃ１１］
前記無認可帯域サイクリックプリフィックスの持続時間は、認可スペクトルにわたる通信に関連するノーマルサイクリックプリフィックスよりも小さいかまたはそれに等しい、
［Ｃ１］に記載の方法。
［Ｃ１２］
少なくとも無認可スペクトルにわたって直交周波数分割多元接続（ＯＦＤＭＡ）通信信号を受信するように構成されるユーザ機器において、基地局から非クリアチャネルアセスメント（非ＣＣＡ）サブフレーム中で１つまたは複数の同期信号あるいはシステムブロードキャスト信号のうちの少なくとも１つを受信することと、
前記ユーザ機器が、１つまたは複数の同期信号あるいはシステムブロードキャスト信号のうちの前記受信された少なくとも１つに基づいて前記基地局と通信することと
を備える、ワイヤレス通信の方法。
［Ｃ１３］
前記非ＣＣＡサブフレーム中で前記受信することは、持続時間と周期性とに関連し、前記持続時間と前記周期性との間の比は、５％にすぎない、
［Ｃ１２］に記載の方法。
［Ｃ１４］
前記ユーザ機器が、ＣＣＡサブフレーム中でクリアＣＣＡを検出することと、
前記ユーザ機器が、前記クリアＣＣＡを検出することに応答して、前記ＣＣＡサブフレーム中で前記１つまたは複数の同期信号あるいは１つの他のシステムブロードキャスト信号のうちの少なくとも１つの他方を受信することと
をさらに含む、［Ｃ１２］に記載の方法。
［Ｃ１５］
前記１つまたは複数の同期信号あるいは１つまたは複数のシステムブロードキャスト信号のうちの前記少なくとも１つがその中で受信される前記非ＣＣＡサブフレームは、異なるキャリアにわたって互い違いに配列される、  ［Ｃ１２］に記載の方法。
［Ｃ１６］
前記システムブロードキャスト信号は、
前記基地局の少なくとも１つの無認可キャリアのためのフレーム構造のインジケーション、
ネットワーク識別子、
前記基地局に関連する複数の利用可能な帯域幅のうちの１つを識別する帯域幅識別子、
前記無認可スペクトル中のキャリアの数のインジケーション、
基準信号ポートの数、
ランダムアクセスプロシージャに関連する１つまたは複数のパラメータ、
システムフレーム番号、あるいは、
制御チャネルに関係する情報
のうちの少なくとも１つを含み、前記情報は、前記制御チャネルのサイズまたはロケーションのうちの少なくとも１つを備える、
［Ｃ１２］に記載の方法。
［Ｃ１７］
前記フレーム構造は、ダウンリンク専用フレーム構造、混合ダウンリンク／アップリンクフレーム構造、またはアップリンク専用フレーム構造のうちの少なくとも１つである、
［Ｃ１６］に記載の方法。
［Ｃ１８］
前記ユーザ機器は、少なくとも１つの認可キャリアを有する前記基地局と通信しており、前記ユーザ機器は、前記無認可スペクトル中のキャリアを使用して補助ダウンリンク（ＳＤＬ）またはキャリアアグリゲーション（ＣＡ）動作のうちの１つで構成される、
［Ｃ１２］に記載の方法。
［Ｃ１９］
前記１つまたは複数の同期信号あるいは前記システムブロードキャスト信号のうちの前記少なくとも１つは、１．４ＭＨｚ超に及ぶ広帯域信号である、
［Ｃ１２］に記載の方法。
［Ｃ２０］
前記非ＣＣＡサブフレームの前記受信は、サブフレームオフセットに関連付けられ、前記サブフレームオフセットは、ネットワーク識別子の関数である、
［Ｃ１２］に記載の方法。
［Ｃ２１］
前記非ＣＣＡサブフレーム中に、
セル固有基準信号（ＣＲＳ）、
チャネル状態情報基準信号（ＣＳＩ−ＲＳ）、
拡張物理ブロードキャストチャネル（ＥＰＢＣＨ）のための基準信号、または
チャネルユーザパイロット信号（ＣＵＰＳ）／チャネルユーザビーコン信号（ＣＵＢＳ）
のうちの少なくとも１つをさらに含む、［Ｃ１２］に記載の方法。
［Ｃ２２］
無認可帯域サイクリックプリフィックスの持続時間は、認可スペクトルにわたる通信に関連するノーマルサイクリックプリフィックスよりも小さいかまたはそれに等しい、
［Ｃ１２］に記載の方法。
［Ｃ２３］
少なくとも無認可スペクトルにわたって直交周波数分割多元接続（ＯＦＤＭＡ）通信信号を送信するように構成される基地局において、送信のために１つまたは複数の同期信号あるいはシステムブロードキャスト信号のうちの少なくとも１つを生成するための手段と、
前記基地局が、前記１つまたは複数の同期信号あるいは前記システムブロードキャスト信号のうちの前記少なくとも１つの送信のために非クリアチャネルアセスメント（非ＣＣＡ）サブフレームを決定するための手段と、
前記基地局が、前記非ＣＣＡサブフレーム中で前記１つまたは複数の同期信号あるいは前記システムブロードキャスト信号のうちの前記少なくとも１つを送信するための手段と
を備える、ワイヤレス通信のために構成される装置。
［Ｃ２４］
前記基地局が、ＣＣＡサブフレーム中でクリアＣＣＡを検出するための手段と、
前記基地局が、前記クリアＣＣＡを検出するための前記手段に応答して、前記ＣＣＡサブフレーム中で前記１つまたは複数の同期信号あるいは１つの他のシステムブロードキャスト信号のうちの少なくとも１つの他方を送信するための手段と
をさらに備える、［Ｃ２３］に記載の装置。
［Ｃ２５］
前記１つまたは複数の同期信号あるいは１つまたは複数のシステムブロードキャスト信号のうちの前記少なくとも１つがその中で送信される前記非ＣＣＡサブフレームは、異なるキャリアにわたって互い違いに配列される、
［Ｃ２３］に記載の装置。
［Ｃ２６］
前記基地局は、少なくとも１つの認可キャリアを含み、前記無認可スペクトル中のキャリアを使用して補助ダウンリンク（ＳＤＬ）またはキャリアアグリゲーション（ＣＡ）動作のうちの１つで構成される少なくとも１つのユーザ機器と通信している、
［Ｃ２３］に記載の装置。
［Ｃ２７］
少なくとも無認可スペクトルにわたって直交周波数分割多元接続（ＯＦＤＭＡ）通信信号を受信するように構成されるユーザ機器において、基地局から非クリアチャネルアセスメント（非ＣＣＡ）サブフレーム中で１つまたは複数の同期信号あるいはシステムブロードキャスト信号のうちの少なくとも１つを受信するための手段と、
前記ユーザ機器が、１つまたは複数の同期信号あるいはシステムブロードキャスト信号のうちの前記受信された少なくとも１つに基づいて前記基地局と通信するための手段と
を備える、ワイヤレス通信のために構成される装置。
［Ｃ２８］
前記ユーザ機器が、ＣＣＡサブフレーム中でクリアＣＣＡを検出するための手段と、
前記ユーザ機器が、前記クリアＣＣＡを検出するための前記手段に応答して、前記ＣＣＡサブフレーム中で前記１つまたは複数の同期信号あるいは１つの他のシステムブロードキャスト信号のうちの少なくとも１つの他方を受信するための手段と
をさらに備える、［Ｃ２７］に記載の装置。
［Ｃ２９］
前記１つまたは複数の同期信号あるいは１つまたは複数のシステムブロードキャスト信号のうちの前記少なくとも１つがその中で受信される前記非ＣＣＡサブフレームは、異なるキャリアにわたって互い違いに配列される、
［Ｃ２７］に記載の装置。
［Ｃ３０］
前記ユーザ機器は、少なくとも１つの認可キャリアを有する前記基地局と通信しており、前記ユーザ機器は、前記無認可スペクトル中のキャリアを使用して補助ダウンリンク（ＳＤＬ）またはキャリアアグリゲーション（ＣＡ）動作のうちの１つで構成される、
［Ｃ２７］に記載の装置。